(57)【要約】 【課題】整然とした折り目をつけるのが非常に困難で、サイズ、デザインもさまざまなプリーツスカートに安心して、かつ、手軽に折り目をつけることができるプリーツスカート用折り目付け具を提供する。【解決手段】軟質で透明な厚手のシート２枚でプリーツスカートを挟持して使用する。シートにはシートを接合する接合手段を設け、表裏両面のプリーツの折り目の不具合を容易に視認、修正して寝押し等をすることができる。さらに、厚手のシートを用いることで寝押し等をする場所ではないところで折り目の状態を整え、そのままの状態で寝押し等をする場所に移すことができる。 【選択図】図１
2013013480.tif 000002
【特許請求の範囲】
【請求項１】
プリーツスカートを挟む可撓性を有し厚手の透明な一対のシートと、前記シート間に挟んだプリーツスカートのウエスト部を挟持する挟持手段を設けたことを特徴とするプリーツスカート用折り目付け具。 
【請求項２】
プリーツスカートのウエスト部を挟持する挟持手段は、一対のシートとプリーツスカートのウエスト部の両端近傍に設けられ前記シートを接離自在とする接合手段とからなることを特徴とする請求項１記載のプリーツスカート用折り目付け具。
【請求項３】
一対のシートは、プリーツスカートの外形と対応する台形形状に形成されており、前記シートの台形形状の両傾斜部には傾斜部に沿って透明シートを接離自在とする接合手段を複数個設けたことを特徴とする請求項１記載のプリーツスカート用折り目付け具。 
【請求項４】
シートの上端近傍における外側の面には、凸状になった把持部を有することを特徴とする請求項１記載のプリーツスカート用折り目付け具。 
【請求項５】
シートの厚みは１．０〜２．０ミリメートルであることを特徴とする請求項１または２記載のプリーツスカート用折り目付け具。 
【発明の詳細な説明】
【技術分野】
【０００１】
本発明は、一対のシート間にプリーツスカートを挟み、プリーツスカートに折り目を付けるプリーツスカート用折り目付け具に関するものである。 
【背景技術】
【０００２】
従来、家庭でプリーツスカートに折り目をつけるには、アイロンを用いる方法が一般的であるが、アイロンで折り目を付けると、生地にテカリが発生するとともに傷みが生じるという問題点があり、これを解消するために、あて布をする方法もあるが、折り目が見えなくなり使い勝手が悪いという問題点があった。なにより、プリーツスカートの着用者の大多数は小学生、中学生を含む学生であり、彼女たちにとって火傷をする怖れのあるアイロンの取り扱いも簡単ではないという問題点があった。
【０００３】
また、プリーツスカートを直接、布団等の下に置く寝押し方法も一般的であるが、裏面の状態が視認できず、寝押し後、取り出して見るまで折り目の具合がわからないという問題点があった。また、寝押しをする場所でプリーツスカートの形状を整えなければならず、環境によっては、狭く光量も乏しいところでの作業を余儀なくされるという問題点があった。
【０００４】
特許文献１に示すように、ズボンをプレスして折り目を付けるものとして、厚みが０．３ミリメートル程度の上部シートと厚みが０．５〜０．６ミリメートル程度の底部シートとの間に厚みが０．３ミリメートル程度の中間シートを挟み、寝押し等の外圧でズボンをプレスするズボンプレッサーは提案されているが、このようなものを用いてプ
リーツスカートに折り目を付けようとすると、底部シートの上にプリーツスカートを置き、折り目を合わせながら上部シートをプリーツスカートの上に被せる必要があり、手間がかかるという問題点と裏面の状態が視認できず、寝押し後、取り出して見るまで折り目の具合がわからないという問題点があった。透明なシートを用いたプレス器具は、そのほとんどがズボン用であり、とりわけプリーツスカートでの使用を主たる目的としたものはない。ズボンの折り目は基本的に両端に1本ずつであるが、プリーツスカートの折り目は全面に十数本あり、さらにプリーツが広がったり重なったりすることで本来のスカートの幅がわかりにくいため、きれいに折り目を付けるのが極めて困難な作業であった。
【０００５】
このような問題点を解消するために提案された特許文献２に示すものは、硬質の第１基板と、軟質で透明な第１シートとの間に衣服を挟む軟質で透明な第２シートと、この第２シートの外側に配置されて前記第１基板との間で前記第１シート、衣服、第２シートを挟み付ける硬質の第２基板と、前記第１基板及び第２基板を締め付ける締め付け具とを備えたものであるが、業務用に使用するような大がかりなプレス装置であるとともに、しわや折り目を直す場合、締め付け具を緩めるとともに、再度第２シートをめくって再修正しなければならず、面倒であるという問題点があった。
【先行技術文献】
【特許文献】
【０００６】
【特許文献１】特開平１１−１９２１５０
【特許文献２】特開２０００−１５７４０７
【発明の概要】
【発明が解決しようとする課題】
【０００７】
本発明は上記従来の課題を解決するもので、プリーツスカート用折り目付け具の表裏両面を視認しながら手軽に整然としたプリーツスカートの折り目をつけることが容易で、安価で何よりも安全なプリーツスカート用折り目付け具を提供するものである。 
【課題を解決するための手段】
【０００８】
上記課題を解決するため、本発明のプリーツスカート用折り目付け具は、プリーツスカートを挟む可撓性を有し厚手の透明な一対のシートと、前記シート間に挟んだプリーツスカートのウエスト部を挟持する挟持手段を設けたことを特徴とする。
【発明の効果】
【０００９】
本発明のプリーツスカート用折り目付け具は、プリーツスカートを挟む可撓性を有し厚手の透明な一対のシートと、前記シート間に挟んだプリーツスカートのウエスト部を挟持する挟持手段を設けたことを特徴とするものであるから、軟質で透明な厚手の一対のシート間にプリーツスカートのウエスト部を挟持し、プリーツスカートのウエスト部と対面したシートの上端部を両手で持ち上げて軽く前後に振るという操作によってプリーツを整え、表裏両面のプリーツの状態を視認し、必要があれば修正し、寝押しやプレスによる折り目付けに用いることができるという効果がある。アイロン等による生地のテカリや傷みもなく、スカート本来の幅で、プリーツスカートに整然とした折り目をつけることができ、例えば寝押しによる折り目付けをする場合は、寝押しをする場所とは別の広々とした明るい場所で寝押しまでの前作業を行なうこともでき、プリーツスカートの折り目付けが非常に容易にできるという効果がある。 
【発明を実施するための形態】
【００１０】
以下、本発明を実施の形態の一例を図１乃至図３に基づいて詳述すると、本発明のプリーツスカート用折り目付け具１は、プリーツスカートＰの外形と対応してプリーツスカートＰの外形よりも大きな相似形の台形形状に形成された可撓性を有し軟質で厚手の透明な一対のシート２と、前記シート２の台形形状の両傾斜部３には対となったシート２を接離自在とする接合手段４がそれぞれ設けられている。プリーツスカートＰのウエスト部と対応する位置のシート２は、台形形状の短辺５となり、プリーツスカートＰの裾部と対応する位置のシート２は、台形形状の長辺６となっている。
【００１１】
接合手段４は、凹凸嵌合するホック、ロットボタン、スナップボタンのようなもので構成されており、一方のシート２には凹状の嵌合部を備えたものが設けられており、他方のシート２には凹状の嵌合部と嵌合する凸状の嵌合部を備えたものが設けられている。接合手段４は、シート２の台形形状の短辺５側に設けられシート２間に挟んだプリーツスカートＰのウエスト部を挟持する挟持手段７となる第1の接合部４ａと、台形形状の傾斜部３の中間位置に設けられた第２の接合部４ｂと、台形形状の長辺６側に設けられた第３の接合部４ｃとから構成されている。プリーツスカートＰのウエスト部を挟持する挟持手段７は、一対のシート２、２と第1の接合部４ａとで構成されている。
【００１２】
第1の接合部４ａは、プリーツスカートＰのウエスト部を一対のシート２、２間に挟持し、台形形状の短辺５側を両手で持ち上げて軽く前後に振るという操作によってプリーツを整える際に嵌合させるものであり、第２の接合部４ｂ及び第３の接合部４ｃは、寝押し、プレスなどにより、プリーツスカートＰに折り目を付ける際に嵌合させるものである。
【００１３】
シート２は、厚みが１．５ミリメートルの塩化ビニールでできており、シート２の外側の面には、短辺５から４センチメートル程度のところに、短辺５に沿って横に幅１センチメートル前後、厚み１．０ミリメートル〜１．５ミリメートル程度の凸状部８が設けられており、これにより一対のシート２でプリーツスカートＰを挟持し、持ち上げて前後に振る作業を手の小さい握力の弱い小学生、中学生の女子にも容易なものとしている。 この凸状部８はシート２を製造する過程で厚みを加えるか、後から熱溶着等で厚みを増したものでも構わないものである。
【００１４】
シート２の長辺６側の外側には、プリーツスカートＰの丈に合わせて切除できるように、長辺６の形状に沿って横に透明なライン９が４〜５センチメートル間隔で２〜３本形成されている。スカートはウエストのサイズは同じでも、ロングスカートやミニスカートのように、デザインによって丈が大きく異なる場合があり、一対のシート２、２がプリーツスカートＰの丈より必要以上に長ければ、重さも増し、扱いにくいものとなり、とりわけプリーツスカートＰを一対のシート２、２で挟持し、持ち上げ、前後に軽く振るという困難な作業を容易にすることが可能となるものである。
【００１５】
次に、本発明のプリーツスカート用折り目付け具の使用方法について、図３乃至図４を参照して説明する。プリーツスカートＰの形状を整え、可撓性を有し軟質で厚手で透明な対となったシート２、２で挟み込み、第1の接合手段４ａを嵌合し、ひっくり返して裏面の折り目の状態を視認し、必要があれば第１の接合部４ａを開き、折り目を修正し、再び嵌合し形が崩れない状態で寝押し等の折り目付けをするのであるが、明るくて広い床の上など寝押しに至るまでの作業がやりやすい場所に一方のシート２を置き、その上にプリーツスカートＰを置き、他方のシート２をプリーツスカートＰにかぶせ、第1の接合部４ａを嵌合し、上部にある凸部を持って持ち上げ軽く前後に振ることによって効率良くプリーツを整えることも可能であり、表面のプリーツの折り目に不具合があればシート２をめくり折り目を整え（必要なら第1の接合手段４ａを開閉する）、その後、第２の接合部４ｂと、第３の接合部４ｃを嵌合するのである。
【００１６】
一対のシート２、２でプリーツスカートＰを挟持し持ち上げて前後に振る操作において、シートの台形形状の短辺側の第1の接合部４ａは接合し、シートの台形形状の短辺５側から離れた第２の接合部４ｂと、第３の接合部４ｃは嵌合していない状態で前後に振ることで、プリーツスカート本来の幅でプリーツの状態が整い、その状態のまま下ろすことができる。すべての接合箇所を嵌合して振ってもプレスされている状態なのでプリーツは自然な状態に整わない。このため接合手段は容易に開閉できるものでなければならないので、接合手段４はホック、ロットボタン、スナップボタンのようなものが好ましい。接合手段４は、独立して６個設けたが、ポリ袋の開閉に使用されているプラスチックでできた凹凸嵌合するチャックのようなものをシート２の台形形状の傾斜部３に沿って２本設けても構わないものである。尚、面ファスナーは振る動作の際に接着してしまうので不適である。また、第１の接合部４ａは、片側だけでなく両側の第１の接合部４ａが開閉できるようにすることで両側から折り目の不具合を修正することができ、狭い場所でも壁の位置などを気にせず作業をすることができるものであるが、一方を開閉自在とし、他方を回動自在としたものでも構わないものである。
【００１７】
本発明のプリーツスカート用折り目付け具１は、プリーツスカートＰの外形と対応してプリーツスカートＰの外形よりも大きな相似形の台形形状に形成された可撓性を有し軟質で厚手の透明な一対のシート２と、前記シート２の台形形状の両傾斜部３には対となったシート２を接離自在とする接合手段４がそれぞれ設けられているものを実施例として図面を用いて説明したが、図５に示すように、一対のシートは、長方形形状に形成されていても構わないものであるとともに、接合手段４は、プリーツスカートＰのウエスト部の両端部に位置するシート２の上端部のみに設けたものでも構わないものであり、また、図６に示すように、長方形形状のシート２の長手側の両端部において長手方向に平行に複数個設けたり、図示しないが、長方形形状のシート２において、図１に示すように、プリーツスカートＰのヒダ部に沿って傾斜させて複数個設けても構わないものである。
【００１８】
シート２の厚みは、１．０〜２．０ミリメートルであれば、良いものであり、ある程度の厚みを有することで二つの大きな効果を生み出す。一つは、一対のシート２でプリーツスカートＰを挟持した状態でひっくり返してプリーツスカートＰの表裏両面の折り目を乱すことなく視認することができ、また寝押し等の折り目付け施工に至るまでの作業を寝押し等の折り目付け施工する場所ではない広々とした、光量も十分にあるところで行い、整然とした状態のまま寝押し等の折り目付け作業をする場所に移すことができる。さらに、やわらかいマット等の上でも寝押しが可能となる。もう一つは、一対のシート２でプリーツスカートＰを挟持し持ち上げて前後に振る作業において、プリーツスカートＰだけで前後に軽く振ってもプリーツの状態を整えるのは難しく、たとえ整ったとしても下ろす際によほど慎重に下ろさないとプリーツの状態が乱れてしまう。しかし、厚みのある対となったシート２で挟持していることでシート２の重みが加わりプリーツの状態を整えやすく、軽くプレスされている状態なので、下ろす際にもプリーツの状態が乱れるのを防ぐことができる。しかし、厚みがありすぎると重さも増し取り扱いにくく、透明度も下がり折り目の状態を視認しにくいものとなる。シート２の材質、プリーツスカートの生地、デザインにもよるが、塩化ビニールシートでの試験によると１．５ミリメートル程度が適している。しかし、厚さが０．５ミリメートル違えばコストもかなり違ってくるので、寝押しを施工する場所が畳の上などの場合なら１．０ミリメートルでも十分プレス効果はあり、やわらかいマットの上などの場合なら２．０ミリメートル程度が望ましいものである。
【００１９】
寝押しに限らずある程度重さのあるものの下に置いたり、ズボンプレッサーのようにシートを電気機器に装着し、電気で加熱しても寝押しと同等の効果が得られるものである。ズボンプレッサーのようにシートを電気機器に装着する場合は、プレッサーの幅が大きくならないように、プリーツスカートを二つ折りにするようにすれば良く、プリーツスカートのウエスト部に対応するプレッサーの蓋体と基台の少なくとも一方を切欠したり、接合手段４と対面する位置のプレッサーの蓋体と基台に凹所を設ければ良いものである。また、接合手段４は、凹凸嵌合するホック、ロットボタン、スナップボタンのようなものに代えて、マグネットシートを必要に応じて第１の接合部４ａ等に採用しても構わないものであり、マグネットシートを採用したものは、マグネットシートは薄板状であるので、マグネットシートからなる接合手段４と対面する位置のプレッサーの蓋体と基台に凹所を設けなくても良いものである。
【００２０】
シート２は、２枚でなくても短辺側がヒンジ部で連結された一枚のもので構成し、ヒンジ部を介してシートを拡げたり重ねたりするようにしても構わないものである。
【図面の簡単な説明】
【００２１】
【図１】本発明の第1実施例におけるシートの外側から見た斜視図
【図２】本発明の第1実施例におけるシートの内側から見た斜視図
【図３】本発明の第1実施例における２枚のシートでプリーツスカートを挟んだ状態を示す斜視図
【図４】本発明の第1実施例における２枚のシートでプリーツスカートを挟持し、持ち上げて前後の軽く振る状態を示す斜視図
【図５】本発明の第２実施例におけるシートの外側から見た正面図
【図６】本発明の第３実施例におけるシートの外側から見た正面図
【符号の説明】
【００２２】
１    プリーツスカート用折り目付け具
２    透明シート
３    透明シートの台形形状の傾斜部
４    接合手段
４ａ  第1の接合手段
４ｂ  第２の接合手段
４ｃ  第３の接合手段
５  透明シートの台形形状の短辺
６  透明シートの台形形状の長辺
７  挟持手段
８  凸状部
９  ライン
【図１】
2013013480.tif 000003
【図２】
2013013480.tif 000004
【図３】
2013013480.tif 000005
【図４】
2013013480.tif 000006
【図５】
2013013480.tif 000007
【図６】
2013013480.tif 000008
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
プリーツスカートを挟む可撓性を有し厚手の透明な一対のシートと、前記シート間に挟んだプリーツスカートのウエスト部を挟持する挟持手段を設けたプリーツスカート用折り目付け具であって、プリーツスカートのウエスト部を挟持する挟持手段は、一対のシートとプリーツスカートのウエスト部の両端近傍に設けられ前記シートを接離自在とする接合手段とからなり、軟質で透明な厚手の一対のシート間にプリーツスカートのウエスト部を挟持し、プリーツスカートのウエスト部と対面したシートの上端部を両手で持ち上げて軽く前後に振るという操作によってプリーツを整え、寝押しやズボンプレッサーのような電気機器にプリーツスカート用折り目付け具装着してプリーツスカートに折り目を付けることを特徴とするプリーツスカート用折り目付け具。 
【請求項２】
一対のシートは、プリーツスカートの外形と対応する台形形状に形成されており、前記シートの台形形状の両傾斜部には傾斜部に沿って透明シートを接離自在とする接合手段を複数個設けた請求項１記載のプリーツスカート用折り目付け具。
【請求項３】
シートの上端近傍における外側の面には、凸状になった把持部を有する請求項１〜請求項２のいずれかに記載のプリーツスカート用折り目付け具。
【請求項４】
シートの厚みは１．０〜２．０ミリメートルである請求項１〜請求項３のいずれかに記載のプリーツスカート用折り目付け具。 
【請求項５】
シートの長辺側の外側には、プリーツスカートＰの丈に合わせて切除できるように、長辺の形状に沿って横に透明なラインが４〜５センチメートル間隔で２〜３本形成されている請求項１〜請求項４のいずれかに記載のプリーツスカート用折り目付け具。
【手続補正２】
【補正対象書類名】明細書
【補正対象項目名】０００８
【補正方法】変更
【補正の内容】
【０００８】
上記課題を解決するため、本発明のプリーツスカート用折り目付け具は、プリーツスカートを挟む可撓性を有し厚手の透明な一対のシートと、前記シート間に挟んだプリーツスカートのウエスト部を挟持する挟持手段を設けたプリーツスカート用折り目付け具であって、プリーツスカートのウエスト部を挟持する挟持手段は、一対のシートとプリーツスカートのウエスト部の両端近傍に設けられ前記シートを接離自在とする接合手段とからなり、軟質で透明な厚手の一対のシート間にプリーツスカートのウエスト部を挟持し、プリーツスカートのウエスト部と対面したシートの上端部を両手で持ち上げて軽く前後に振るという操作によってプリーツを整え、寝押しやズボンプレッサーのような電気機器にプリーツスカート用折り目付け具装着してプリーツスカートに折り目を付けることを特徴とする。
【手続補正３】
【補正対象書類名】明細書
【補正対象項目名】０００９
【補正方法】変更
【補正の内容】
【０００９】
本発明のプリーツスカート用折り目付け具は、プリーツスカートを挟む可撓性を有し厚手の透明な一対のシートと、前記シート間に挟んだプリーツスカートのウエスト部を挟持する挟持手段を設けたプリーツスカート用折り目付け具であって、プリーツスカートのウエスト部を挟持する挟持手段は、一対のシートとプリーツスカートのウエスト部の両端近傍に設けられ前記シートを接離自在とする接合手段とからなり、軟質で透明な厚手の一対のシート間にプリーツスカートのウエスト部を挟持し、プリーツスカートのウエスト部と対面したシートの上端部を両手で持ち上げて軽く前後に振るという操作によってプリーツを整え、寝押しやズボンプレッサーのような電気機器にプリーツスカート用折り目付け具装着してプリーツスカートに折り目を付けることを特徴とするものであるから、軟質で透明な厚手の一対のシート間にプリーツスカートのウエスト部を挟持し、プリーツスカートのウエスト部と対面したシートの上端部を両手で持ち上げて軽く前後に振るという操作によってプリーツを整え、表裏両面のプリーツの状態を視認し、必要があれば修正し、寝押しやプレスによる折り目付けに用いることができるという効果がある。アイロン等による生地のテカリや傷みもなく、スカート本来の幅で、プリーツスカートに整然とした折り目をつけることができ、例えば寝押しによる折り目付けをする場合は、寝押しをする場所とは別の広々とした明るい場所で寝押しまでの前作業を行なうこともでき、プリーツスカートの折り目付けが非常に容易にできるという効果がある。 
【手続補正書】
【提出日】平成24年4月4日(2012.4.4)
【手続補正１】
【補正対象書類名】特許請求の範囲
【補正対象項目名】請求項２
【補正方法】変更
【補正の内容】
【請求項２】
一対のシートは、プリーツスカートの外形と対応する台形形状に形成されており、一対のシートとプリーツスカートのウエスト部の両端近傍に設けられ前記シートを接離自在とする接合手段とでプリーツスカートのウエスト部を挟持する挟持手段を構成するとともに、前記接合手段の他に前記シートの台形形状の両傾斜部には傾斜部に沿って透明シートを接離自在とする接合手段を複数個設けたことを特徴とする請求項１記載のプリーツスカート用折り目付け具。
【手続補正２】
【補正対象書類名】特許請求の範囲
【補正対象項目名】請求項３
【補正方法】変更
【補正の内容】
【請求項３】
シートの上端近傍における外側の面には、シートの表面に対し、凸状になった把持部を有することを特徴とする請求項１〜請求項２のいずれかに記載のプリーツスカート用折り目付け具。